(57)【要約】  本発明は、プロセス流を揮発性汚染物質の燃焼温度まで加熱し、およびこの物質を燃焼させて燃焼生成物も含有する高温の清浄化済の流れを形成することを含む、プロセス流から燃焼性の揮発性汚染物質を除去するための方法においてマイクロチャネル装置を利用することを提供する。高温の清浄化済の流れは、第１の組のプロセスマイクロチャネルと熱接触している熱交換チャネルに導かれる。次に、冷却された清浄化済の流れが回収される。マイクロチャネルは触媒的な酸化のための触媒を含有し得る。処理済のプロセス流は、エチレンオキシド製造プラントからのＣＯ２廃ガス流であり得る。
2009520943.tif 000002
【特許請求の範囲】
【請求項１】
ａ）第１のプロセス流をマイクロチャネル装置中の第１の組のプロセスマイクロチャネルに流すこと、
ｂ）前記第１のプロセス流を揮発性汚染物質の燃焼温度まで加熱し、および揮発性物質を燃焼させて燃焼生成物も含有する高温の清浄化済の流れを形成すること、
ｃ）高温の清浄化済の流れを前記第１の組のプロセスマイクロチャネルと熱接触している熱交換チャネルに導くこと、および引き続いて
ｄ）冷却された清浄化済のプロセス流を回収すること
を含む、第１のプロセス流から燃焼性揮発性汚染物質を除去するための方法。
【請求項２】
高温の清浄化済の流れがマイクロチャネル装置内で第１のプロセス流に向流で流れることを可能とするように、前記第１の組のプロセスマイクロチャネルおよび前記熱交換チャネルが配置される、請求項１に記載の方法。
【請求項３】
前記熱交換チャネルが第２の組のマイクロチャネルである、請求項１または請求項２に記載の方法。
【請求項４】
二酸化炭素プロセス流から炭化水素汚染物質を除去するための方法である、請求項１から３のいずれか一項に記載の方法。
【請求項５】
汚染物質がエチレン、メタンおよびエチレンオキシドならびにこれらの２つ以上の混合物から選択される、請求項１から４のいずれか一項に記載の方法。
【請求項６】
マイクロチャネル装置が燃焼性の揮発性汚染物質の１つ以上を触媒的に酸化するのに好適な触媒を含有する、請求項１から５のいずれか一項に記載の方法。
【請求項７】
触媒が白金、パラジウム、ロジウム、レニウム、ニッケル、コバルトおよびマンガンから選択される少なくとも１つの金属を含む、請求項６に記載の方法。
【請求項８】
触媒が第１の組のプロセスマイクロチャネルの１つ以上のチャネルの壁上にウオッシュコートされている、請求項６または請求項７に記載の方法。
【請求項９】
第１のプロセス流がエチレンオキシド製造プラントからのＣＯ２廃ガス流である、請求項１から８のいずれか一項に記載の方法。
【発明の詳細な説明】
【技術分野】
【０００１】
本発明は、特に炭化水素を含むプロセス運転における改善に関する。想定されるプロセス改善は、オレフィンおよび酸素からのオレフィンオキシドの製造と、このオレフィンオキシドの随意の更なる変換において特別な用途を見出す。
【背景技術】
【０００２】
商業規模で運転する場合、プロセス運転は、多数の重要な設計基準に合致しなければならない。今日の環境においては、プロセス設計は、環境立法を考慮に入れ、健康および安全標準に従うものでなければならない。危険な化学薬品を利用もしくは製造するプロセスは、特別な問題を引き起こし、爆発または反応暴走のリスクを最小とするために、このようなプロセス運転は時には最適ではない条件で行われなければならならず；これはプラントのランニングコスト（運転支出またはＯＰＥＸ）を増大させる。このようなプロセスは、このプロセスの実施のみに必要とされる以上の装置も利用しなくてはならず；これは建設コスト（資本支出またはＣＡＰＥＸ）の増加を生じる。
【０００３】
ＣＡＰＥＸおよびＯＰＥＸコストを低減することができ、特にプラントへの損傷のリスクと、一般人および／またはプロセスプラント作業員への危険のリスクを増大することなしで、プロセス運転を提供する必要性が継続して存在する。
【発明の開示】
【発明が解決しようとする課題】
【０００４】
本発明は、プロセス運転においてマイクロチャネル装置を利用することを提供する。このような装置は、ある特定の応用分野における使用について以前に提案されたが、プラント安全リスクを維持、もしくは低減する一方で、ＣＡＰＥＸおよび／またはＯＰＥＸの低減の組み合わせをもたらすために以前に提案されたことはなかった。
【課題を解決するための手段】
【０００５】
本発明は、
ａ）第１のプロセス流をマイクロチャネル装置中の第１の組のプロセスマイクロチャネルに流すこと、
ｂ）上記第１のプロセス流を揮発性汚染物質の燃焼温度まで加熱し、および揮発性物質を燃焼させて燃焼生成物も含有する高温の清浄化済の流れを形成すること、
ｃ）高温の清浄化済の流れを前記第１の組のプロセスマイクロチャネルと熱接触している熱交換チャネルに導くこと、および引き続いて
ｄ）冷却された清浄化済のプロセス流を回収すること
を含む、第１のプロセス流から燃焼性の揮発性汚染物質を除去するための方法を提供する。エチレンオキシド製造プラントのＣＯ２廃ガス流中の揮発性有機物質の除去においてこの方法を適用することが好ましい。
【０００６】
図面の簡単な説明
図１は、マイクロチャネル反応器とこの主な構成要素の概略図を示す。
図２は、プロセスマイクロチャネルおよび熱交換チャネルと、本発明の実施において使用される場合のこの運転を含む、繰り返し単位の通常の例の概略図を示す。本発明で利用されるマイクロチャネル装置もしくは反応器は、複数のこのような繰り返し単位を含み得る。
図３は、プロセス流から燃焼性の揮発性汚染物質を除去するための通常の方法の例の概略図を示す。
【０００７】
発明の詳細な説明
本発明は、多数の態様において、マイクロチャネル装置を利用する方法を提供する。多くの側面において、マイクロチャネル装置は化学反応を包含し得、場合により、触媒成分も含み得る；他の方法において、マイクロチャネル装置は物理的運転のために利用される。以下に、このような装置が議論され、全般的に「マイクロチャネル反応器」と呼ばれ、この用語は、物理的な方法または触媒成分を含むもしくは含まない化学反応の方法に利用されても、マイクロチャネル装置を包含すると理解される。
【０００８】
本発明およびこれらの運転での使用に好適なマイクロチャネル反応器は、ＷＯ−Ａ−２００４／０９９１１３、ＷＯ−Ａ−０１／１２３１２、ＷＯ−０１／５４８１２、ＵＳ−Ａ−６４４０８９５、ＵＳ−Ａ−６２８４２１７、ＵＳ−Ａ−６４５１８６４、ＵＳ−Ａ−６４９１８８０、ＵＳ−Ａ−６６６６９０９、ＵＳ−Ａ−６８１１８２９、ＵＳ−Ａ−６８５１１７１、ＵＳ−Ａ−６４９４６１４、ＵＳ−Ａ−６２２８４３４、およびＵＳ−Ａ−６１９２５９６で述べられた。マイクロチャネル反応器を製造し、触媒を装填し、ならびにこれらの参考文献で述べられているように運転し得る方法は、本発明の実施において全般的に適用可能であり得る。
【０００９】
図１を参照すると、マイクロチャネル反応器１００は、ヘッダー１０２、複数のプロセスマイクロチャネル１０４、およびフッター１０８からなり得る。ヘッダー１０２は、流体がプロセスマイクロチャネル１０４の中に流れる通路を提供する。フッター１０８は、流体がプロセスマイクロチャネル１０４から流れる通路を提供する。
【００１０】
マイクロチャネル反応器中に収められているプロセスマイクロチャネル数は極めて多いことがあり得る。例えば、この数は、１０５まで、または更には１０６まで、または２×１０６までであり得る。通常、プロセスマイクロチャネルの数は、少なくとも１０または少なくとも１００、または更に少なくとも１０００であり得る。
【００１１】
プロセスマイクロチャネルは、通常、平行に配列され、例えば平面のマイクロチャネルのアレーを形成し得る。プロセスマイクロチャネルの各々は、１５ｍｍまでの、例えば０．０５から１０ｍｍの、特に０．１から５ｍｍの、更に特に０．５から２ｍｍの高さまたは幅の少なくとも１つの内部寸法を有し得る。高さまたは幅の他の内部寸法は、例えば、０．１から１００ｃｍ、特に０．２から７５ｃｍ、更に特に０．３から５０ｃｍであり得る。プロセスマイクロチャネルの各々の長さは、例えば、１から５００ｃｍ、特に２から３００ｃｍ、更に特に３から２００ｃｍ、または５から１００ｃｍであり得る。
【００１２】
マイクロチャネル反応器１００は、プロセスマイクロチャネル１０４と熱交換接触している熱交換チャネル（図１に図示せず）をさらに含む。熱交換チャネルはマイクロチャネルであり得る。マイクロチャネル反応器は、熱交換流体が熱交換ヘッダー１１０から熱交換チャネルを通って熱交換フッター１１２に流れることができるようになされている。熱交換チャネルは、プロセスマイクロチャネル１０４中の流れに対して並流、向流で、もしくはある態様においては、好ましくは交差流方向で流れをもたらすように配列され得る。交差流方向は、矢印１１４および１１６により示される。
【００１３】
熱交換チャネルの各々は、１５ｍｍまでの、例えば０．０５から１０ｍｍの、特に０．１から５ｍｍの、更に特に０．５から２ｍｍの高さまたは幅の少なくとも１つの内部寸法を有し得る。高さまたは幅の他の内部寸法は、例えば、０．１から１００ｃｍ、特に０．２から７５ｃｍ、更に特に０．３から５０ｃｍであり得る。熱交換チャネルの各々の長さは、例えば、１から５００ｃｍ、特に２から３００ｃｍ、更に特に３から２００ｃｍ、または５から１００ｃｍであり得る。
【００１４】
各プロセスマイクロチャネル１０４と次の隣接する熱交換チャネルの間の分離は、０．０５ｍｍから５ｍｍの、特に０．２から２ｍｍの範囲にあり得る。
【００１５】
本発明のある実施形態においては、第１の熱交換チャネルおよび第２の熱交換チャネル、または第１の熱交換チャネル、第２の熱交換チャネル、および第３の熱交換チャネル、もしくは第５までの熱交換チャネル、もしくは更なる熱交換チャネルが準備される。このようにして、このような場合には、複数の組の熱交換チャネルがあり、したがって複数の熱交換ヘッダー１１０および熱交換フッター１１２があり得、これにより各組の熱交換チャネルは、熱交換ヘッダー１１０から熱交換流体を受け取り、熱交換フッター１１２の中に熱交換流体を送達するようになされ得る。
【００１６】
ヘッダー１０２、フッター１０８、熱交換ヘッダー１１０、熱交換フッター１１２、プロセスマイクロチャネル１０４、および熱交換チャネルは、独立して、本発明によりプロセスの運転を可能とさせる充分な強度、場合により寸法安定性、および伝熱特性を提供するいかなる構造材料からも作製され得る。好適な構造材料は、例えばスチール（例えば、ステンレススチールおよびカーボンスチール）、モネル、チタン、銅、ガラスおよびポリマー組成物を含む。熱交換流体の種類は本発明には重要でなく、熱交換流体は各種のものから選択され得る。好適な熱交換流体はスチーム、水、空気、およびオイルを含む。複数の組の熱交換チャネルを含む本発明の実施形態においては、このような組の熱交換チャネルは、異なる熱交換流体と、もしくは異なる温度を有する熱交換流体により動作し得る。
【００１７】
本発明において使用のマイクロチャネル反応器は、１つ以上のプロセスマイクロチャネルと１つ以上の熱交換チャネルそれぞれを含む複数の繰り返し単位を含み得る。ここで図２を参照すると、これは通常の繰り返し単位とこの運転を示す。
【００１８】
プロセスマイクロチャネル２１０は、上流末端２２０と下流末端２３０を有し、本発明のある特定の態様に対しては、触媒（図示せず）を場合により含み得る第１の区分２４０からなり得る。第１の区分２４０は、第１の熱交換チャネル２５０と熱交換接触し、プロセスマイクロチャネル２１０と第１の熱交換チャネル２５０の第１の区分２４０の間の熱交換を可能とし得る。繰り返し単位は、１つ以上の第１のオリフィス２８０を通って第１の区分２４０の中に至る第１のフィードチャネル２６０を含み得る。通常、１つ以上の第１のオリフィス２８０は、もう一つの第１のオリフィス２８０に対して下流に配置され得る。運転時、フィードは、上流末端２２０中の開口および／または第１のフィードチャネル２６０および１つ以上の第１のオリフィス２８０を通ってプロセスマイクロチャネル２１０の第１の区分２４０の中に入り得る。
【００１９】
プロセスマイクロチャネル２１０は、第２の区分３４０を含み、これは触媒を含むようになされ得るか、もしくはなされ得ない。第２の区分３４０は、第１の区分２４０の下流に配置される。第２の区分３４０は、第２の熱交換チャネル３５０と熱交換接触にあり得、プロセスマイクロチャネル２１０の第２の区分３４０と第２の熱交換チャネル３５０の間の熱交換を可能とする。ある実施形態においては、第２の区分３４０は、第２の熱交換チャネル３５０中の熱交換流体との熱交換により第１の区分２４０において得られ、受け取られる生成物を急冷するようになされる。急冷は、必要とされるならば、複数の、例えば２つもしくは３つもしくは４つの第２の熱交換チャネル３５０の存在により段階で行われ得る。このような複数の第２の熱交換チャネル３５０は、異なる温度を有し、特に第２の区分３４０の下流方向において低い温度を有する熱交換流体を含む第２の熱交換チャネル３５０と熱交換が行われる熱交換流体を含むようになされ得る。繰り返し単位は、１つ以上の第２のオリフィス３８０を通って第２の区分３４０の中に至る第２のフィードチャネル３６０を含み得る。運転時、フィードは、プロセスマイクロチャネル２１０中の上流から、ならびに第２のフィードチャネル３６０および１つ以上の第２のオリフィス３８０を通って第２の区分３４０の中に入り得る。
【００２０】
第１および第２のオリフィス２８０もしくは３８０と組み合わされた、第１および第２のフィードチャネル２６０もしくは３６０によって、１つ以上の第１もしくは第２のオリフィス２８０もしくは３８０は、もう一つの第１もしくは第２のオリフィス２８０もしくは３８０それぞれに対して下流に配置され、反応物質の補給が可能となる。反応物質の補給が本発明のいくつかの実施形態で利用可能である。
【００２１】
プロセスマイクロチャネル２１０は、第１の区分２４０の下流および第２の区分３４０の上流に配置されている中間区分４４０を含み得る。中間区分４４０は、第３の熱交換チャネル４５０と熱交換接触にあり得、プロセスマイクロチャネル２１０の中間区分４４０と第３の熱交換チャネル４５０の間の熱交換を可能とする。
【００２２】
ある実施形態において、プロセスマイクロチャネル２１０は、第２の区分３４０の下流の第３の区分（図示せず）と、場合により第２の区分３４０の下流および第３の区分の上流の第２の中間区分（図示せず）を含み得る。第３の区分は、第４の熱交換チャネル（図示せず）と熱交換接触にあり得、プロセスマイクロチャネル２１０の第３の区分と第４の熱交換チャネルの間の熱交換を可能とする。第２の中間区分は、第５の熱交換チャネル（図示せず）と熱交換接触にあり得、プロセスマイクロチャネル２１０の第２の中間区分と第５の熱交換チャネルの間の熱交換を可能とする。繰り返し単位は、１つ以上の第３のオリフィス（図示せず）を通って第３の区分の中に至る第３のフィードチャネル（図示せず）を含み得る。通常、１つ以上の第３のオリフィスは、もう一つの第３のオリフィスに対して下流に配置され得る。運転時、フィードは、プロセスマイクロチャネル２１０中の上流から、ならびに第３のフィードチャネルおよび１つ以上の第３のオリフィスを通して第３の区分の中に入り得る。
【００２３】
フィードチャネルの各々はマイクロチャネルであり得る。これらは、１５ｍｍまでの、例えば０．０５から１０ｍｍの、特に０．１から５ｍｍの、更に特に０．５から２ｍｍの高さまたは幅の少なくとも１つの内部寸法を有し得る。高さまたは幅の他の内部寸法は、例えば、０．１から１００ｃｍ、特に０．２から７５ｃｍ、更に特に０．３から５０ｃｍであり得る。フィードチャネルの各々の長さは、例えば、１から２５０ｃｍ、特に２から１５０ｃｍ、更に特に３から１００ｃｍ、または５から５０ｃｍであり得る。
【００２４】
プロセスマイクロチャネルの区分の各々の長さは、例えば、必要とされる熱交換容量により、もしくは区分中に含有され得る触媒の量により相互に独立して選択され得る。この区分の長さは、独立して少なくとも１ｃｍ、または少なくとも２ｃｍ、または少なくとも５ｃｍであり得る。この区分の長さは、独立して多くても２５０ｃｍ、または多くても１５０ｃｍ、または多くても１００ｃｍ、または多くても５０ｃｍであり得る。この区分の他の寸法は、プロセスマイクロチャネル２１０の対応する寸法により規定される。
【００２５】
本発明のマイクロチャネル反応器は、既知の方法、例えば従来の機械加工、レーザー切断、成形、型打ち、およびエッチングおよびこれらの組み合わせを用いて製造され得る。本発明のマイクロチャネル反応器は、通路を可能とさせる除去済の形状付きのシートを形成することにより製造され得る。このようなシートの積重体は、既知の方法、例えば拡散接合、レーザー溶接、冷溶接、拡散ろう付け、およびこれらの組み合わせを使用することにより組み立てられて集積化素子を形成する。本発明のマイクロチャネル反応器は、反応物質の入力、生成物の出力、および熱交換流体の流れを制御するための適切なヘッダー、フッター、バルブ、導管ライン、および他の形状を含む。これらは図面中には示されていないが、当業者によれば容易に設置可能である。また、プロセスマイクロチャネルに入る前に、フィードの温度制御のための、特にフィードまたはフィード成分を加熱するための、もしくはプロセスマイクロチャネルを出た後で生成物の温度制御のための、特に生成物を冷却するための更なる熱交換装置（図示せず）があり得る。このような更なる熱交換装置は、マイクロチャネル反応器と一体であり得るが、通常、別々の装置である。これらは図面中には示されていないが、当業者によれば容易に設置可能である。
【００２６】
触媒は、存在する場合には、プロセスマイクロチャネルの１つ以上中に収めるのに好適ないかなる形のものでもあり得る。このような触媒は、いかなる既知の方法によってもプロセスマイクロチャネルの指定された区分に設置され得る。触媒は、固体の形のものであり、プロセスマイクロチャネルの指定された区分において充填床を形成し得、ならびに／もしくはプロセスマイクロチャネルの指定された区分の壁の少なくとも一部上に被膜を形成し得る。別法としては、触媒は、マイクロチャネル装置の指定された区分に配置され得る挿入物上の被膜の形のものであり得る。被膜は、ウオッシュコーティングまたは蒸気堆積などのいかなる好適な堆積方法によっても作製され得る。触媒がいくつかの触媒的に有効な成分からなる場合には、堆積は、プロセスマイクロチャネルの指定された区分の壁の少なくとも一部の上に第１の触媒成分、例えば金属または金属成分を堆積し、第１の成分の堆積の前に、一緒に、もしくは以降に少なくとも同一の壁の上に、１つ以上の更なる触媒成分を堆積することにより行われ得る。
【００２７】
ある実施形態においては、触媒は均質で、固体の形でないことがあり得、この場合には触媒は、関連のフィードもしくはプロセス流の１つ以上の成分と一緒にプロセスマイクロチャネルの指定された区分にフィードされ、反応混合物またはプロセス流と共にマイクロチャネルを通ることができる。
【００２８】
ある態様においては、本発明は、酸素または空気を用いるアルキレンの直接的なエポキシ化によるアルキレンオキシド、および特にエチレンオキシドの製造方法において特別な用途を見出す。Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，３ｒｄ  ｅｄｉｔｉｏｎ，Ｖｏｌｕｍｅ  ９，１９８０，ｐａｇｅｓ  ４４５−４４７を参照のこと。空気をベースとする方法においては、空気または酸素により富化された空気が酸化剤源として使用され、酸素をベースとする方法においては、高純度（少なくとも９５モル％）の酸素が酸化剤源として使用される。現在は、大部分のエポキシ化プラントは酸素をベースとする。このエポキシ化方法は、広い範囲から選択される反応温度を用いて行われ得る。好ましくは、エポキシ化反応器内の反応温度は、１５０℃から３４０℃の範囲に、更に好ましくは１８０から３２５℃の範囲にある。反応は、好ましくは１０００から３５００ｋＰａの範囲の圧力で行われる。
【００２９】
揮発性汚染物質が工業的化学プロセスによりしばしば生成される。このような汚染物質は、しばしば大気に放出されるが、環境立法が強化されると共に、少量のこのような汚染物質しか商業用製造プラントから放出を可能としていない。
【００３０】
放出ガスまたは廃ガス中で汚染が起こる可能性のある一つのこのような領域は、エチレンオキシドの製造においてである。バルクエチレンオキシド製品の回収の後に残る残存ガスは、エチレン酸化反応器に再循環される。再循環ガスの一部または全部の側流は、過剰ＣＯ２を除去するために、水性ＣＯ２吸収剤により通常洗浄され、過剰ＣＯ２は、吸収剤から引き続いてストリッピングされ、および放出され得るか、もしくは好ましくは使用するため、もしくは副生成物として販売するために回収される。再循環ガス側流の洗浄時、少量の炭化水素がＣＯ２吸収剤中に溶解ならびに／もしくは同伴され、二酸化炭素の汚染を回避するためには除去される必要があるという問題が特に大容量の製造プラントにおいて生じる。
【００３１】
放出ガスから揮発性汚染物質を除去するために、種々の系が提案されてきた。このような汚染物質は、有機炭化水素、例えばエチレン、メタン、エチレンオキシド、およびハロゲン含有化合物であり得る。汚染物質が揮発性有機化合物である場合には、現在の除去方法は熱分解または触媒的分解、好ましくは燃焼を利用する。
【００３２】
多くの工業的プロセスにおいては、放出ガスは、酸化装置中で熱的もしくは反応器が触媒を含有する場合には触媒的に充填床反応器中で完全燃焼することにより、清浄化され、これらの不純物を除去する。ある場合には、このような反応器は、発生する燃焼熱を回収するために熱交換器と組み合わされる。このような燃焼または焼却は、例えば触媒焼却器内で行うことができ、これにより１つ以上の触媒床は高温（ほぼ３００℃から８００℃の範囲内；通常５００℃）まで加熱され、および大気圧で運転される。熱的な燃焼系においては、この温度は、７００から１０００℃の範囲内にあり得、大気圧でも運転される。従って、エネルギー損失を最小とし、効率を改善するために種々の熱交換機構も組み込まれる。
【００３３】
更に高性能なシステムは逆流型反応器である。逆流型反応器は当分野で周知である。このような反応器の一般的な原理は、「Ｒｅｖｅｒｓｅ−Ｆｌｏｗ  Ｏｐｅｒａｔｉｏｎ  ｉｎ  Ｆｉｘｅｄ  Ｂｅｄ  Ｃａｔａｌｙｔｉｃ  Ｒｅａｃｔｏｒｓ」，Ｃａｔａ．Ｒｅｖ．Ｓｃｉ．Ｅｎｇ．，２８（１），１−６８（１９９６）で詳述された。
【００３４】
逆流型反応器は、多数の異なる大規模の不均質プロセス、例えば揮発性有機汚染物質の触媒的焼却、二酸化イオウによる硫化水素酸化、ルテニウムおよびコバルト触媒上のフィッシャー・トロプシュ合成、煙道ガス中での一酸化炭素および／または酸化窒素の選択的還元、およびＵＳ−Ａ−６，２６１，０９３、ＣＡ−Ａ−１，１６５，２６４、ＵＳ−Ａ−５，７５３，１９７、およびＵＳ−Ａ−５，５８９，１４２で述べられているような類似のプロセスで使用されてきた。
【００３５】
固定触媒床上の触媒反応用の単純な逆流型反応器は、少なくとも１つの触媒床と、場合により触媒床を所定の位置に保持する不活性材（ｉｎｅｒｔｓ）としばしば呼ばれる耐火性充填物の１つ以上の触媒床を含む反応器容器からなり、不活性材は、また、それぞれの反応器の入口または出口の間の流体またはガス状反応媒体の流れ方向の振動を可能とさせる必要な構成および切り替えバルブと一緒に更なる熱容量ももたらす。
【００３６】
逆流型反応器は、機械的破壊を引き起こす機械的応力を受け易い切り替えバルブを系が含むという難点を有する。
【００３７】
本発明は、放出ガスまたは他のガス流中の揮発性汚染物質を燃焼するためにマイクロチャネル装置を利用する。この装置は、このような汚染物質を除去する有効な手段であり、有効な熱交換を燃焼と同一の装置中で行うことが可能となり、これによりこの２つのプロセスを一つの装置に合体して、潜在的に低いＣＡＰＥＸが得られる。特に、逆流型系に比して複雑な切り替え機構が回避され、プロセスは単純で高信頼性となる。
【００３８】
このようにして、マイクロチャネル装置の酸化装置としての使用は、運転が単純で容易であり、先行の提案よりも潜在的に低コストである。この装置は、高熱集積化を高効率の燃焼と組み合わせる。このことは低ｐｐｍ量の汚染物質の除去に極めて重要である。先行の提案においては、高性能な逆流型反応器によっても、切り替えバルブ経由でもしくは過熱を避けるためのバイパス機構を通して漏洩が起こり、系が信頼できない。マイクロチャネル装置は、別々の熱交換器もしくはバイパス系とは別の他の機構経由での熱制御を可能とさせ、および切り替えバルブを利用しない。
【００３９】
したがって、本発明は、
ａ）第１のプロセス流をマイクロチャネル装置中の第１の組のプロセスマイクロチャネルに流すこと、
ｂ）上記第１のプロセス流を揮発性汚染物質の燃焼温度まで加熱し、および揮発性物質を燃焼させて燃焼生成物も含有する高温の清浄化済の流れを形成すること、
ｃ）高温の清浄化済の流れを上記第１の組のマイクロチャネルと熱接触している、好ましくは第２の組のプロセスマイクロチャネルであり得る、熱交換チャネルに導くこと、および引き続いて
ｄ）冷却された清浄化済のプロセス流を回収すること
を含む燃焼性の揮発性汚染物質を第１のプロセス流から除去するための方法を提供する。
【００４０】
揮発性汚染物質は、エタン、エチレン、メタン、エチレンオキシドおよびハロゲン含有化合物、例えば有機塩化物の有機炭化水素のいずれでもあり得る。このような汚染物質は、第１のプロセス流の重量で０．０５から１重量％、例えば重量で０．０５から０．５％の範囲の量で存在し得る。
【００４１】
揮発性汚染物質の燃焼または焼却がマイクロチャネル装置内の第１の組のプロセスマイクロチャネル内で行われ、水および二酸化炭素の燃焼生成物を生じる。これらは、ガス流の残りと共に除去されるべき処理済の流れと共にマイクロチャネル装置から搬出され得る。これらの加熱されたガスは、上記の第１のマイクロチャネル組と熱的な関係にある第１の組の熱交換チャネルまで導かれる。このようにして、加熱されたガスは、第１のプロセス流を燃焼温度まで加熱する。開始と、起こり得る熱損失を可能とさせるために、この工程の運転の開始時に第１のプロセス流を加熱し、および第１の組のマイクロチャネル内で燃焼温度に達するために必要な熱を確保するために、追加の加熱器具が必要であり得る。このような追加の加熱器具は、単純なバーナーによりもしくは例えば第２の組の熱交換チャネルとして、マイクロチャネル装置の中に容易に組み込み可能である。マイクロチャネル装置が高温の清浄化済の流れからの熱損失を低減するということ、およびこのような補助的な加熱手段が先行の提案ほど必要とされないということが期待される。
【００４２】
第１の組の熱交換チャネルは、好ましくは、第２の組のマイクロチャネルの形の第１の組に隣接する。２組の（マイクロ）チャネルは、２つのプロセス流に対して並流の流れ、向流流れ、または交差流流れを可能とするように配置可能である。最も好ましくは、向流もしくは交差流の流れ、および特に向流流れを確定する配置である。第１のプロセス流と熱接触して配列するように、高温の清浄化済の流れがマイクロチャネル装置を出、再び入るように装置をセットアップし得るが、熱経済の理由により、第１のプロセス流との熱交換が行われるまで、高温の清浄化済の流れは、マイクロチャネル装置中に残ることが好ましい。このようにして、好ましくは、第１のプロセス流は、第１の組のマイクロチャネルを通って流れ、次に第１の組のマイクロチャネルの全長に隣接して配置される第１の組の熱交換チャネルに導かれる。この実施形態においては、冷却された清浄化済のプロセス流は、通常、第１のプロセス流が入る地点に近接して装置を出る。しかしながら、マイクロチャネル反応器からの出口は、いかなる好適な地点にあってもよく、およびある実施形態においては装置の入口地点の反対端にあり得る。
【００４３】
例えば、第１のプロセス流が処理前に既に加熱されているために、もしくは燃焼反応を熱的に制御する必要があるために、燃焼が第１のプロセス流の加熱に必要とされるよりも過剰な熱をもたらす場合には、燃焼反応から過剰な熱を除去することができる第２の組の熱交換チャネルがマイクロチャネル装置中にさらに存在し得る。この熱は、例えばスチームの製造に直接的に、もしくは別の場所で使用可能である。上記の第２の組の熱交換チャネルも好ましくはマイクロチャネルであり、次いで第３の組のマイクロチャネルを形成する。別法としては、高温ガスの一部が放出可能である。
【００４４】
二酸化炭素プロセス流から揮発性有機炭化水素を除去するために、最も好ましくはエチレン、メタン、およびエチレンオキシドの１つ以上を除去するために、このような方法が利用されるということが好ましい。この二酸化炭素流は、好ましくはエチレンオキシド製造プラントからのＣＯ２廃ガス流である。得られる純度レベルは、清浄化されたＣＯ２が工業製品として販売され得るということを意味する。
【００４５】
しかしながら、本発明の方法は、現在は、酸化装置または焼却器を利用して揮発性有機不純物を除去するいかなる状況においても利用され、例えば、石油化学商業プラントからの任意の放出ガスまたはタンクファームからのオフガスを処理し、実際に１ｐｐｍから１０体積％の揮発性有機炭化水素不純物を有する任意のガス流を清浄化し得る。
【００４６】
このマイクロチャネル装置によって、揮発性汚染物質の触媒的燃焼または焼却が可能となるようになされ得る。前述のように、触媒は、多数の好適な方法でプロセスマイクロチャネルの中に組み込み可能である。触媒的燃焼に最も適する触媒成分は、当業者には周知である。好適な触媒成分は、触媒的に有効な成分として、白金、パラジウム、ロジウム、レニウム、ニッケル、コバルトおよびマンガンから選択される金属またはカチオン性金属成分を含み、耐火性酸化物キャリアー、例えばアルミナも存在し得るが、必要ではない。この触媒は、マイクロチャネル内の充填物として、もしくはプロセスマイクロチャネルの、最も好適には第１の組のプロセスマイクロチャネルの１つ以上の壁上のウオッシュコート経由で固体の形で組み込まれ得る。
【００４７】
本発明の方法は、熱および触媒焼却器に対して上記した従来の温度および圧力で行われる。
【００４８】
ここで、本発明を次の実施例により例示する。
【実施例】
【００４９】
４００，０００ｍｔ／ａ  エチレンオキシドプラント中で反応器系への循環ガスの流れは、６００ｍｔ／時である。この流れは、主としてメタン、エチレン、酸素、アルゴン、二酸化炭素および窒素からなる。反応器入口における温度は１４０℃であり、圧力は２０００ｋＰａゲージである。図３中で反応器１内部の触媒の上でエチレンオキシドと二酸化炭素を製造する。ＥＯをＥＯ吸収器２中で洗浄し、再循環ガスの一部をＣＯ２吸収器３中で洗浄し、ＣＯ２を除去する。
【００５０】
ＣＯ２スクラブに使用される吸収剤は、通常、循環する活性化された高温カーボネート溶液である。吸収器３の底部からのＣＯ２により飽和された吸収剤をライン５経由でＣＯ２ストリッパー４の頂部までフィードする。ここで、ＣＯ２を廃ガス流７として大気に放出する。平均して、このＣＯ２廃ガス流はこの実施例においては１８ｍｔ／時である。ＣＯ２ストリッパー４の底部の流れ６はＣＯ２を欠如し、吸収器３の頂部まで循環で戻される。放出されるＣＯ２ガス流７は、エチレンおよびメタンのような痕跡の炭化水素、この実施例では０．１重量％のエチレンおよび０．２重量％のメタンを含有することができる。また、前述の炭化水素よりもずっと低濃度であるが、時には痕跡のエチレンオキシドをこのガス流中で検出することができる。
【００５１】
今日では、ますます多くの国が更に低レベルの炭化水素排出およびエチレンオキシド排出を要求する。従って、ＣＯ２廃ガス流に後処理をしばしば行ってこれらの成分を環境上の許可で示されているレベル以下まで除去する。この分野において通常使用される技術は酸化、言い換えれば酸化装置中での炭化水素の燃焼である。これは、熱酸化法または触媒的な酸化法のいずれかであり得る。適当な熱バランスを維持するために、これらの酸化装置はしばしば循環モードで運転される。下記の概略図に示す系はこのような逆流型系である。ガスは、以降２つの小室ＡおよびＢ（実線）を通って流れる。両方の小室は予熱域と燃焼域を有する。ＣＯ２流中の炭化水素を予熱し、および小室Ａ中で燃焼させる。このようにして、小室Ａ中の予熱域を冷却する。高温ガスによって、小室Ｂ中の予熱域を燃焼が可能な温度まで加熱する。小室Ｂ中で所望の温度に達したならば、ガス流の方向を切り替え、ＢおよびＡから反対方向（点線）に流し、および逆過程を行う。
【００５２】
清浄なＣＯ２ガス流８を大気に放出するか、もしくは他の用途に使用することができる。このような循環系においては、切り替えバルブは機械的応力を受け易く、および機械的もしくは更には化学的（腐食）破壊に敏感である。このプラントは環境上の許可に準拠しなければならないので、酸化装置の破壊の場合には全体のＥＯユニットを中断しなければならず、甚大な経済的な衝撃を及ぼす。
【００５３】
本発明においては、２つの小室ＡおよびＢをＣＯ２廃ガス流を受け入れるために第１の組のプロセスマイクロチャネルを有する単一のマイクロチャネル装置により置き換えられ、揮発性炭化水素汚染物質を燃焼させるために、ガス流を燃焼温度に供する。次に、ガス流を第１の組と熱接触にある第２の組のプロセスマイクロチャネルの中に流し、高温の出口ガスは、燃焼小室にフィードされる冷たいガスを直接に加熱することができる。このようにして、切り替えを回避し、および系の信頼性と単純性を大々的に増大させる。
【図面の簡単な説明】
【００５４】
【図１】マイクロチャネル反応器とこの主な構成要素の概略図を示す。
【図２】プロセスマイクロチャネルおよび熱交換チャネルと、本発明の実施において使用される場合のこの運転を含む、繰り返し単位の通常の例の概略図を示す。
【図３】プロセス流から燃焼性の揮発性汚染物質を除去するための通常の方法の例の概略図を示す。
【図１】
2009520943.tif 000003
【図２】
2009520943.tif 000004
【図３】
2009520943.tif 000005
【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
ａ）二酸化炭素プロセス流をマイクロチャネル装置中の第１の組のプロセスマイクロチャネルに流すこと、
ｂ）二酸化炭素プロセス流を炭化水素汚染物質の燃焼温度まで加熱し、および炭化水素汚染物質を燃焼させて燃焼生成物も含有する高温の清浄化済の流れを形成すること、
ｃ）高温の清浄化済の流れを前記第１の組のプロセスマイクロチャネルと熱接触している熱交換チャネルに導くこと、および引き続いて
ｄ）冷却された清浄化済のプロセス流を回収すること
を含む、炭化水素汚染物質を炭化水素汚染物質が二酸化炭素プロセス流の重量の０．０５から１％の範囲の量で存在する炭化水素プロセス流から除去するための方法。
【請求項２】
高温の清浄化済の流れがマイクロチャネル装置内で二酸化炭素プロセス流に向流で流れることを可能とするように、前記第１の組のプロセスマイクロチャネルおよび前記熱交換チャネルが配置される、請求項１に記載の方法。
【請求項３】
前記熱交換チャネルが第２の組のマイクロチャネルである、請求項１または請求項２に記載の方法。
【請求項４】
炭化水素汚染物質がエチレン、メタンおよびエチレンオキシドならびにこれらの２つ以上の混合物から選択される、請求項１から３のいずれか一項に記載の方法。
【請求項５】
マイクロチャネル装置が炭化水素汚染物質の１つ以上を触媒的に酸化するのに好適な触媒を含有する、請求項１から４のいずれか一項に記載の方法。
【請求項６】
触媒が白金、パラジウム、ロジウム、レニウム、ニッケル、コバルトおよびマンガンから選択される少なくとも１つの金属を含む、請求項５に記載の方法。
【請求項７】
触媒が第１の組のプロセスマイクロチャネルの１つ以上のチャネルの壁上にウオッシュコートされている、請求項５または請求項６に記載の方法。
【請求項８】
二酸化炭素プロセス流がエチレンオキシド製造プラントからの二酸化炭素廃ガス流である、請求項１から７のいずれか一項に記載の方法。
【国際調査報告】
2009520943.tif 000006
2009520943.tif 000007
2009520943.tif 000008